(57)【要約】      （修正有）【課題】組み立て家具のビス止等の作業を回避し、投影形状がＩ型の支承部材と棚板のみを勘合させることによって組み立て及び分解を容易にする棚家具を提供する。【解決手段】棚受けの脚構造をＩ型とすることにより、前後左右に倒れ難い自立静置式となり、棚板を上部から勘合させるのみの組立により、今迄の固定物化された組み立て家具にフレキシブル性を持たせ、自由自在にスタイルを変化させ得るとした構造が最大の特徴である。なお、ダボ孔やダボを用いることによって縦横に積層して多段や異なる収容空間を作り出すことも容易である構造とした。【選択図】図５
0003145495.tif 000002
【実用新案登録請求の範囲】
【請求項１】
上下の投影形状がＩ型である支承部材Ａと、平板の長手方向両側部裏側に該側部に連続する凸部を設け、該平板の両側部に設けた凸部内寸法が前記支承部材Ａの頂部と底部間の外寸法以下で嵌号する棚板Ｂとで構成し、該支承部材と該棚板を適宜組み合わせることを特徴とする易組み立て・分解家具
【請求項２】
前記Ｉ型支承部材Ａと前記棚板Ｂとを適宜な数量及び間隔を用いて、異なる寸法の区分けした空間を設けることを特徴とする請求項１に記載の易組み立て・分解家具。
【考案の詳細な説明】
【技術分野】
【０００１】
本考案は、２つの異構造体のみで自由な収納空間を創世可能であり、かつ容易に組み立てや分解・移動等が行える便利性の良いうえ、耐震的にも十分な機能を併せ持つ棚家具を提供するものである。
【背景技術】
【０００２】
簡易に組み立てる家具としては、一般的にピンホール・ビス止め方式で、一つの固定物と造られ普及してきたは周知の事実である。
リサイクル可能性を重視した組立家具として木質系樹脂材料や、微粒子の木粉と樹脂の混合物などで側板と棚板との組み合わせであり、強固さを保持するため主に金属製の雌雄構造の連結具を用いて側板と棚板を固定する家具（特許文献１参照）が提案されている。
【０００３】
また、横板と縦板のそれぞれに切り込みを形成し、９０度の角度で相互を挿入して切り込み部の特殊形状により勘合させ格子状に組み付ける家具（特許文献２参照）が提案され、    
底板の上面及び天板の下面にダボ孔を設け、両側面及び仕切り用の縦板の端部には底板及び天板のダボ孔の相当する位置にダボを挿入した部材を用い、各縦板を上下から狭持させるように組み立てる家具（特許文献３参照）が提案されている。
【０００４】
また、底板及び天板の端部を、左右両辺を互い違いの形状として適宜ダボ孔を設け、縦板の端部に挿入したダボとの勘合で組み合わせて構成する家具（特許文献４参照）が提案されている。
しかしながら、耐震性等の性能を保有させるには横板と縦板間を金属製等の金具が必要であり、子女等が容易に組立て・分解できるとは言い難いし、異なる寸法の棚空間を要求するときには用いる部材が増加するデメリットを有する。
【０００５】
反面、組立・分解を容易にすることに主点を置く場合、横板にダボ孔、縦板にはダボを挿入し、上下から狭持するように勘合させる構造となるため、耐震性や異なる空間の創世には限界が生じる問題がある。
また、従来の組み立て家具は、二つ以上のスタイルが不可能で、変化に乏しく、誰もがドライバー等を用いてのビス止め作業が難しく腕力を必要とし、組み立て後に変化移動、引越が困難である。
【０００６】
【特許文献１】特開２００３−１８０４５６号公開公報
【特許文献２】登録実用新案第３１０７２９２号公報
【特許文献３】公開実用新案平０７−１４９２９号公開公報
【特許文献４】公開実用新案昭５２−６３５１１号公開公報
【考案の開示】
【考案が解決しようとする課題】
【０００７】
このような現状に鑑み、本考案は、従来の組み立て家具とは概念を違え、ドライバーなどの工具やビスなどの固定具を全く用いないで、かつ婦女子でも補助者をも必要とせず、何時でも自由にかつ収納のための保存空間を創世することに主眼をおいた易組み立て・分解家具を提供することにある。
【課題を解決するための手段】
【０００８】
自立する支承部材を適宜な間隔で立設した後に、棚板を上部より勘合させること、及びその作業の繰り返しで複数の収納空間を創世する組立棚家具を容易に設置でき、また分解も組立の逆順序の作業のみで行える構造としたことに特徴がある。
用いる部材は、接続をより確実・堅固にするためのダボを除いて、支承部材と棚板の２種類のみを用いることで、容積の異なる収納空間を創生することも可能である。
【考案の効果】
【０００９】
本考案は、誰にでも楽々と組み立てがと置き換えが可能であり、はめ込め式なので分離取り外しが簡単で誰にでも自由自在にスタイルが変えられることに最大の特徴がある。
即ち、自由自在なフレキシブル性を持ち視覚的にも楽しめ、収納棚としての機能の他、使用者のイメージを無限に想像させることの気分転換や部屋の広さ、趣味趣向や用途、ニーズに合わせて何通りにも創生できるスタイルを楽しめる事ができる。
また、先々で引越や移転時に女性でも分離や解体が容易にでき持ち運びが簡単にできる優れものである。
【考案を実施するための最良の形態】
【００１０】
先ず、請求項１について、図１〜図４を用いて説明する。
支承部材Ａは、図１に示すように、その立設した場合の上下からの投影形状がＩ型であることが特徴であり、この形状とすることにより自在に自立させることが可能である。
支承部材Ａの区分板１は側端部の縦板を供用するものであり、その高さは３００〜６００mm程度、奥行き長さは２５０〜６００mm程度、厚さは１０〜３０mmの寸法が最適である。また、支承部材Ａの支承板２は区分板１と鉛直な角度に固定し、その高さ寸法は区分板１の長さより１〜１０mm程度短く、横幅は５０〜１２０mm、厚さは１０〜３０mmが最適である。
図１〜２及び図４に示す区分板１は平板を表示しているが、適宜なデザインを施した曲線形状等も用いることができ、また、デザインされ切り抜かれた空間を有するものでもよく本考案においてはその平板形状を直線的とは特定せず特に制限しない。
【００１１】
支承板１に区分板２を固定する方法は金具等による固定の他、接着または嵌め込み式等如何なる手段や工法を用いてもよく、堅固に固定できれば本考案においてはその手法・工法に関して特に制限しない。
また、支承板２の端部には棚板Ｂとの結合性を高めるダボ孔５を適宜の数設けておくことが望ましく、区分板１の中間部には別の棚板を固定するためのダボ孔５を設けることも望ましい。その位置は利用者の利便性を考慮し、本考案においては特に制限しない。
【００１２】
次に、棚板Ｂは、図２〜図３に示すように、一葉の平板形状において長手方向の両側部裏側に該側部に平板の端部から他の端部に至る連続する凸部４を設けてなる形状が最大の特徴である。
その凸部４の内寸法が、前記支承部材Ａの支承板２の最外側寸法よりも２〜１０mm程度広くし、凸部の突出高さ及び幅は５〜１０mmが最適である。
また、その長さは４５０〜１８００mm、好ましくは４５０〜９００mmであり、奥行きの幅は２７０〜６５０mmとし、厚さは１０〜３０ｍｍが望ましい。
本凸部４の形状構成は、一枚の平板からの切り出しでもよく、また単なる平板と別の構成材を接着または嵌め込み式で堅固に固定する手法・工法でもよく、本考案においてはその手法・工法を制限するものではない。
【００１３】
支承部材Ａ及び棚板Ｂの素材は家具としての品格では木質系の無垢材が最良であるが、木材主体の積層材や樹脂類、紙類、金属類またはそれらの複合材又は結合材等、本考案においては特に制限するものではなく、如何なる素材や材料をも用いることができる。
また、素材の表面を彩る彩色や塗膜形成についても、如何なる色調でも制限なくまた単なる吹きつけ塗装から、漆塗りは勿論蒔絵調、金銀粉の吹きつけ処理や、樹脂塗装等如何なる手法による化粧についても本考案においては制限するものでなく、利用者の好みによって施用することができる。
【００１４】
図１〜図４において図示した支承部材Ａ及び棚板Ｂ並びにそれらの構成材である区分板１、支承板２における角部は面取りなどを行うことによって視覚的な柔らかさを醸し出せることもでき、また、使用者が使用する場合の手触り感も向上させることが期待できるので、本考案においては角部を鋭角的形状に特定するものではなく面取りのほか彫刻等を行っても良く、その外観形状に関して特に制限するものではない。
【００１５】
次に、請求項２に関して図５〜図６を用いて説明する。
本考案の支承部材Ａと棚板Ｂを用いて、組立棚家具の基本形とする手順等について図５を用いて説明する。
先ず、支承部材Ａを棚板Ｂの長さ寸法よりも短い間隔で相対して２個以上立設する。
その上部から、両側端に設けられた連続する凸部が下方になるようにした棚板Ｂを支承部材Ａの支承板２に勘合するように静置させる。この場合、支承板２の端部に設けたダボ孔５にダボ６を挿入し、勘合させる棚板Ｂにも設けたダボ孔５にも勘合させることによって支承部材Ａと棚板Ｂはより堅固に勘合することとなる。
本考案の易組み立て・分解家具はこれだけの作業で最小単位の収納空間を有する棚家具とすることができる。
【００１６】
この勘合のみで、支承部材Ａの支承板２の横幅の構造が横揺れ等に関する倒壊防止の応力を有し、棚板Ｂに適宜な重量が載置された場合、より対応力性能を発揮する。
当然のごとく支承部材Ａの区分板１の幅寸法が前後左右への対応力を有しており、耐震性を高める構造となっている。
【００１７】
また、図５及び図６(a)〜(d)に示すように棚板Ｂの支承板２への勘合に際して、支承板２の端部の長さを５０％程度ずらすことにより、横方向に連結した収納空間を有する棚家具を構成することが容易に可能となるほか、ダボ孔５とダボ６を有効に活用して、支承部材Ａを縦方向に接続することにより適宜の高さを持つ収納空間をも創世させ得ることが可能である。
また、支承部材Ａは、棚板Ｂの両端部への静置に限定せず、棚板の長さ範囲であれば任意の位置に静置させて好みの横幅を有する収納空間さえも創生することが可能である。
また、図６にはその一部を図示したに過ぎないが、支承部材Ａと棚板Ｂを任意の数量を用いて任意の収納部を創生するために組み合わせることで、使用者の固有かつ無限の収納スペースを創出することも可能である。
【産業上の利用可能性】
【００１８】
本考案に係るＩ型の支承部材Ａは、前後左右に倒れない造形物として簡単な構造にしたことにより容易に製造することができ、材料にしても将来的ニーズの高まりを予測し、材質及び、サイズ・カラー・棚等パーツの連結変更が容易にでき、支承部材Ａの静置と棚板Ｂの勘合式としたので、組立は勿論分離解体が容易にでき、女性一人でも持ち運びができ、幾通りにものスタイルに適応し、趣味趣向や用途に応じて楽しむことができ、更に引越し、移転・移動荷造りがコンパクトになることは勿論、実用性の優れたものとして例えば店舗の什器・商品陳列棚のほか支障部材Ａ及び棚板Ｂの各部材の寸法を適宜の縮尺寸法とすることで、子供向けの小さな玩具やフィギア、ミニカーの整理棚や店舗のディスプレーとしても応用することも可能である。
【図面の簡単な説明】
【００１９】
【図１】本考案に係る支承部材Ａの斜視図。
【図２】本考案に係る棚板Ｂの上方から見た斜視図。
【図３】本考案に係る棚板Ｂの下方からみた斜視図。
【図４】本考案に係る支承部材Ａと棚板Ｂを組み合わせた斜視図。
【図５】本考案に係る棚板Ｂ上に更に支承部材Ａを組み合わせる場合の斜視図
【図６】本考案の支承部材Ａと棚板Ｂを複数任意に組み合わせる易組み立て・分解家具のバリエーション図。
【符号の説明】
【００２０】
Ａ  支承部材
Ｂ  棚板
１  区分板
２  支承板
３  棚板
４  凸部
５  ダボ孔
６  ダボ
【図１】
0003145495.tif 000003
【図２】
0003145495.tif 000004
【図３】
0003145495.tif 000005
【図４】
0003145495.tif 000006
【図５】
0003145495.tif 000007
【図６】
0003145495.tif 000008